(57)【特許請求の範囲】
【請求項１】
交換機と複数の電話機との間に設置し、複数の音声信号を多重化した多重化信号を前記交換機から下りデジタル回線を介して受け、この多重化信号を複数の前記音声信号のそれぞれの音声信号に分散して対応するそれぞれの前記電話機に送り、それぞれの前記電話機からそれぞれの音声信号を受けて多重化して上りデジタル回線を介して前記交換機に送る通常動作を行うリモート装置において、
前記下りデジタル回線を監視し、この監視結果が前記多重化信号を受信していないことを示す停止状態を示すときにリセット信号を出力する回線監視リセット出力部と、
前記リモート装置の前記通常動作を制御する制御部であって、前記回線監視リセット出力部が出力する前記リセット信号によりリセットし、リセット後にリセット再開通知を前記交換機に出力し、前記リモート装置の前記通常動作の制御を再開し、前記交換機から再び前記多重化信号を受けるように前記リモート装置を制御するリモート装置制御部と、
を備えたことを特徴とするリモート装置。
【請求項２】
前記回線監視リセット出力部は、前記停止状態が予め定めた時間継続したときに前記リセット信号を出力するようにしたことを特徴とする請求項１記載のリモート装置。
【請求項３】
前記回線監視リセット出力部は、前記下りデジタル回線を監視し、この監視結果が前記停止状態を示すときに停止信号を出力する受信回線監視部と、
前記受信回線監視部より前記停止信号を受けこの信号が予め定めた時間継続したときにリセット出力指示信号を出力するタイマ部と、
前記タイマ部より前記リセット出力指示信号を受け前記リセット信号を出力するリセット信号出力制御部と、
を備えたことを特徴とする請求項２記載のリモート装置。
【請求項４】
前記タイマ部は、
クロックパルスを受けて計数し、クリア信号を受けて計数値をクリアするとともに前記クリア信号を受けている間計数を停止するカウンタと、
前記カウンタに前記クリア信号を出力し前記受信回線監視部より前記停止信号を受け前記クリア信号の出力を停止するとともに前記リセット信号出力制御部より前記リセット信号を受け前記クリア信号を出力するカウンタ制御回路と、
前記カウンタが計数した前記計数値と前記予め定めた時間に対応する予め定めた設定値とを比較し一致したときに前記リセット出力指示信号を出力する比較器と、
を備えたことを特徴とする請求項３記載のリモート装置。
【請求項５】
前記リセット信号出力制御部は、前記リモート装置制御部をリセットするのに充分な予め定めた時間前記リセット信号を出力するようにしたことを特徴とする請求項３又は４記載のリモート装置。
【請求項６】
リセットした後に前記リモート装置の前記通常動作の制御を再開しリセット再開通知を出力する前記リモート装置制御部と、
前記リモート装置制御部より前記リセット再開通知を受けこのリセット再開通知を前記上りデジタル回線を介して前記交換機に送る送信制御部と、
を備えたことを特徴とする請求項１、２、３、４又は５記載のリモート装置。
【請求項７】
交換機と複数の電話機との間に設置し、複数の音声信号を多重化した多重化信号を前記交換機から下りデジタル回線を介して受け、この多重化信号を複数の前記音声信号のそれぞれの音声信号に分散して対応するそれぞれの前記電話機に送り、それぞれの前記電話機からそれぞれの音声信号を受けて多重化して上りデジタル回線を介して前記交換機に送る通常動作を行うリモート装置であって、前記下りデジタル回線を監視しこの監視結果が前記多重化信号を受信していないことを示す停止状態を示すときにリセットし、リセット後にリセット再開通知を前記交換機に出力し、前記通常動作を再開し、前記交換機から再び送られてくる前記多重化信号を受ける前記リモート装置と、
前記リモート装置をリセットする必要のあるときに、前記下りデジタル回線を介して前記リモート装置に送出している前記多重化信号の出力を停止し、前記リモート装置より前記リセット再開通知を受けて前記多重化信号の出力を再開する前記交換機と、
を備えたことを特徴とするリモート装置のリセット方式。
【請求項８】
リセットした後に前記通常動作を再開しリセット再開通知を前記上りデジタル回線を介して前記交換機に送る前記リモート装置と、
前記上りデジタル回線を介して前記リモート装置より前記リセット再開通知を受け前記下りデジタル回線を介して前記リモート装置に対して前記多重化信号の出力を再開する前記交換機と、
を備えたことを特徴とする請求項７記載のリモート装置のリセット方式。
【請求項９】
前記リモート装置は、前記停止状態が予め定めた時間継続したときにリセットするようにしたことを特徴とする請求項７又は８記載のリモート装置のリセット方式。
【請求項１０】
前記リモート装置は、
前記下りデジタル回線を監視し、この監視結果が前記多重化信号を受信していないことを示す前記停止状態を示すときにリセット信号を出力する回線監視リセット出力部と、
前記回線監視リセット出力部が出力する前記リセット信号によりリセットする前記リモート装置を制御するリモート装置制御部と、
を備えたことを特徴とする請求項７、８又９記載のリモート装置のリセット方式。
【請求項１１】
前記回線監視リセット出力部は、前記停止状態が予め定めた時間継続したときに前記リセット信号を出力するようにしたことを特徴とする請求項１０記載のリモート装置のリセット方式。
【請求項１２】
前記回線監視リセット出力部は、前記下りデジタル回線を監視し、この監視結果が前記停止状態を示すときに停止信号を出力する受信回線監視部と、
前記受信回線監視部より前記停止信号を受けこの信号が予め定めた時間継続したときにリセット出力指示信号を出力するタイマ部と、
前記タイマ部より前記リセット出力指示信号を受け前記リセット信号を出力するリセット信号出力制御部と、
を備えたことを特徴とする請求項１１記載のリモート装置のリセット方式。
【請求項１３】
前記タイマ部は、
クロックパルスを受けて計数し、クリア信号を受けて計数値をクリアするとともに前記クリア信号を受けている間計数を停止するカウンタと、
前記カウンタに前記クリア信号を出力し前記受信回線監視部より前記停止信号を受け前記クリア信号の出力を停止するとともに前記リセット信号出力制御部より前記リセット信号を受け前記クリア信号を出力するカウンタ制御回路と、
前記カウンタが計数した前記計数値と前記予め定めた時間に対応する予め定めた設定値とを比較し一致したときに前記リセット出力指示信号を出力する比較器と、
を備えたことを特徴とする請求項１２記載のリモート装置のリセット方式。
【請求項１４】
前記リセット信号出力制御部は、前記リモート装置制御部をリセットするのに充分な予め定めた時間前記リセット信号を出力するようにしたことを特徴とする請求項１２又は１３記載のリモート装置のリセット方式。
【請求項１５】
リセットした後に前記リモート装置の前記通常動作の制御を再開しリセット再開通知を出力する前記リモート装置制御部と、
前記リモート装置制御部より前記リセット再開通知を受けこのリセット再開通知を前記上りデジタル回線を介して前記交換機に送る送信制御部と、
を備えたことを特徴とする請求項１０、１１、１２、１３又は１４記載のリモート装置のリセット方式。
【発明の詳細な説明】
【０００１】
【発明の属する技術分野】
本発明はリモート装置およびリモート装置のリセット方式に関し、特に交換機からの多重化信号の未受信を検出してリモート装置をリセットするリモート装置およびリモート装置のリセット方式に関する。
【０００２】
【従来の技術】
交換機とリモート装置との関係を示す図である図４を参照すると、リモート装置（分散装置）は、交換機（詳しくは、交換機内に設けられたリモート装置をコントロールするための制御装置）と複数の電話機との間に設置し、通常動作として、複数の音声信号を多重化した多重化信号を交換機から下りデジタル回線を介して受け、この多重化信号を複数の音声信号のそれぞれの音声信号に分散して対応するそれぞれの電話機に送り、それぞれの電話機からそれぞれの音声信号を受けて多重化して上りデジタル回線を介して交換機に送る動作を行っている。したがって、交換機とリモート装置間は、下りデジタル回線として下り一対（２本）のケーブルと上りデジタル回線として上り一対（２本）のケーブルとにより接続し、リモート装置と複数の電話機間は電話機の台数分のケーブルにより接続している。そして、交換機の保守対応等のために交換機の動作初期化（イニシャル）を行う場合に併せてリモート装置も動作初期化させる場合や、リモート装置が何らかの要因で正常機能せずリモート装置が収容する電話機が正常に使用できなくなる等の異常状態に陥った場合に、リモート装置の正常機能化を図る等のためこの種のリモート装置をリセットする必要のあるときには、従来のリモート装置のリセット方式は、下りデジタル回線を介してリモート装置に送信する信号フォーマット上にリセット用のビットやパターンを定義し、交換機内に設けられたリモート装置をコントロールするための制御装置からこのリセット用のビットやパターンを設定した信号をリモート装置に送信し、リモート装置はこの信号を受けたときにリセットするようにしている。また、他の従来方式として、リモート装置を制御するリモート装置内のリモート装置制御部が正常に動作していることを前提として、交換機内に設けられたリモート装置をコントロールするための制御装置から、下りデジタル回線を介してリモート装置にコマンドでリセット指示を伝え、リモート装置はこのコマンドを受けリモート装置内のリモート装置制御部によりこのコマンドを解読してリセットするようにしている。
【０００３】
【発明が解決しようとする課題】
上述した従来のリモート装置のリセット方式は、リセット用のビットやパターンを設定した信号を下りデジタル回線を介してリモート装置に送信するようにしているため、下りデジタル回線に障害がある場合はリセット用のビットやパターンがリモート装置に伝達できないので、このときにはリモート装置のリセットを行うことができないという問題がある。また、上述した他の従来方式は、下りデジタル回線を介してリモート装置にコマンドでリセット指示を伝えるようにしているため、下りデジタル回線に障害がある場合や、リモート装置を制御するリモート装置内のリモート装置制御部が正常に動作していないとき（例えば、リモート装置制御部内のコマンドを解読するＣＰＵの暴走時等）にはリモート装置のリセットを行うことができないという問題がある。
【０００４】
本発明の目的はこのような従来の欠点を除去するため、下りデジタル回線に障害がある場合や、リモート装置を制御するリモート装置内のリモート装置制御部が正常に動作していないときにもリモート装置のリセットを行うことができるリモート装置およびリモート装置のリセット方式を提供することにある。
【０００５】
【課題を解決するための手段】
本発明のリモート装置は、交換機と複数の電話機との間に設置し、複数の音声信号を多重化した多重化信号を前記交換機から下りデジタル回線を介して受け、この多重化信号を複数の前記音声信号のそれぞれの音声信号に分散して対応するそれぞれの前記電話機に送り、それぞれの前記電話機からそれぞれの音声信号を受けて多重化して上りデジタル回線を介して前記交換機に送る通常動作を行うリモート装置において、前記下りデジタル回線を監視し、この監視結果が前記多重化信号を受信していないことを示す停止状態を示すときにリセット信号を出力する回線監視リセット出力部と、前記リモート装置の前記通常動作を制御する制御部であって、前記回線監視リセット出力部が出力する前記リセット信号によりリセットし、リセット後にリセット再開通知を前記交換機に出力し、前記リモート装置の前記通常動作の制御を再開し、前記交換機から再び前記多重化信号を受けるように前記リモート装置を制御するリモート装置制御部と、を備えて構成されている。
【０００６】
また、本発明のリモート装置の前記回線監視リセット出力部は、前記下りデジタル回線を監視し、この監視結果が前記停止状態を示すときに停止信号を出力する受信回線監視部と、
前記受信回線監視部より前記停止信号を受けこの信号が予め定めた時間継続したときにリセット出力指示信号を出力するタイマ部と、
前記タイマ部より前記リセット出力指示信号を受け前記リセット信号を出力するリセット信号出力制御部と、
を備えて構成されている。
【０００７】
更に、本発明のリモート装置の前記タイマ部は、
クロックパルスを受けて計数し、クリア信号を受けて計数値をクリアするとともに前記クリア信号を受けている間計数を停止するカウンタと、
前記カウンタに前記クリア信号を出力し前記受信回線監視部より前記停止信号を受け前記クリア信号の出力を停止するとともに前記リセット信号出力制御部より前記リセット信号を受け前記クリア信号を出力するカウンタ制御回路と、
前記カウンタが計数した前記計数値と前記予め定めた時間に対応する予め定めた設定値とを比較し一致したときに前記リセット出力指示信号を出力する比較器と、
を備えて構成されている。
【０００８】
また、本発明のリモート装置は、リセットした後に前記リモート装置の前記通常動作の制御を再開しリセット再開通知を出力する前記リモート装置制御部と、前記リモート装置制御部より前記リセット再開通知を受けこのリセット再開通知を前記上りデジタル回線を介して前記交換機に送る送信制御部と、
を備えて構成されている。
【０００９】
本発明のリモート装置のリセット方式は、交換機と複数の電話機との間に設置し、複数の音声信号を多重化した多重化信号を前記交換機から下りデジタル回線を介して受け、この多重化信号を複数の前記音声信号のそれぞれの音声信号に分散して対応するそれぞれの前記電話機に送り、それぞれの前記電話機からそれぞれの音声信号を受けて多重化して上りデジタル回線を介して前記交換機に送る通常動作を行うリモート装置であって、前記下りデジタル回線を監視しこの監視結果が前記多重化信号を受信していないことを示す停止状態を示すときにリセットし、リセット後にリセット再開通知を前記交換機に出力し、前記通常動作を再開し、前記交換機から再び送られてくる前記多重化信号を受ける前記リモート装置と、前記リモート装置をリセットする必要のあるときに、前記下りデジタル回線を介して前記リモート装置に送出している前記多重化信号の出力を停止し、前記リモート装置より前記リセット再開通知を受けて前記多重化信号の出力を再開する前記交換機と、を備えて構成されている。
【００１０】
また、本発明のリモート装置のリセット方式は、リセットした後に前記通常動作を再開しリセット再開通知を前記上りデジタル回線を介して前記交換機に送る前記リモート装置と、
前記上りデジタル回線を介して前記リモート装置より前記リセット再開通知を受け前記下りデジタル回線を介して前記リモート装置に対して前記多重化信号の出力を再開する前記交換機と、
を備えて構成されている。
【００１１】
更に、本発明のリモート装置のリセット方式の前記リモート装置は、
前記下りデジタル回線を監視し、この監視結果が前記多重化信号を受信していないことを示す前記停止状態を示すときにリセット信号を出力する回線監視リセット出力部と、
前記回線監視リセット出力部が出力する前記リセット信号によりリセットする前記リモート装置を制御するリモート装置制御部と、
を備えて構成されている。
【００１２】
また、本発明のリモート装置のリセット方式の前記回線監視リセット出力部は、前記下りデジタル回線を監視し、この監視結果が前記停止状態を示すときに停止信号を出力する受信回線監視部と、
前記受信回線監視部より前記停止信号を受けこの信号が予め定めた時間継続したときにリセット出力指示信号を出力するタイマ部と、
前記タイマ部より前記リセット出力指示信号を受け前記リセット信号を出力するリセット信号出力制御部と、
を備えて構成されている。
【００１３】
更に、本発明のリモート装置のリセット方式の前記タイマ部は、
クロックパルスを受けて計数し、クリア信号を受けて計数値をクリアするとともに前記クリア信号を受けている間計数を停止するカウンタと、
前記カウンタに前記クリア信号を出力し前記受信回線監視部より前記停止信号を受け前記クリア信号の出力を停止するとともに前記リセット信号出力制御部より前記リセット信号を受け前記クリア信号を出力するカウンタ制御回路と、
前記カウンタが計数した前記計数値と前記予め定めた時間に対応する予め定めた設定値とを比較し一致したときに前記リセット出力指示信号を出力する比較器と、
を備えて構成されている。
【００１４】
また、本発明のリモート装置のリセット方式は、リセットした後に前記リモート装置の前記通常動作の制御を再開しリセット再開通知を出力する前記リモート装置制御部と、
前記リモート装置制御部より前記リセット再開通知を受けこのリセット再開通知を前記上りデジタル回線を介して前記交換機に送る送信制御部と、
を備えて構成されている。
【００１５】
【発明の実施の形態】
次に、本発明の実施の形態について図面を参照して説明する。
【００１６】
図１は、本発明のリモート装置のリセット方式の一つの実施の形態を示すブロック図である。
【００１７】
図１に示す本実施の形態は、交換機１（詳しくは、交換機１内に設けられたリモート装置３をコントロールするための制御装置２）と複数の電話機（不図示）との間に設置し、複数の音声信号を多重化した多重化信号を交換機１から下りデジタル回線を介して受け、この多重化信号を複数の音声信号のそれぞれの音声信号に分散して対応するそれぞれの電話機に送り、それぞれの電話機からそれぞれの音声信号を受けて多重化して上りデジタル回線を介して交換機１に送る通常動作を行うリモート装置３（分散装置）であって、下りデジタル回線を常時監視しこの監視結果が、多重化信号（この信号は、通常状態では交換機１から常時受信すべき信号である。）を受信していないことを示す停止状態を示すときにリセットしリセットした後に通常動作を再開しリセット再開通知を上りデジタル回線を介して交換機１に送るリモート装置３と、交換機１の保守対応等のために交換機１の動作初期化（イニシャル）を行う場合に併せてリモート装置３も動作初期化させる場合や、リモート装置３が何らかの要因で正常機能せずリモート装置３が収容する電話機が正常に使用できなくなる等の異常状態に陥った場合に、リモート装置３の正常機能化を図る等のためリモート装置３をリセットする必要のあるときに、下りデジタル回線を介してリモート装置３に送出している多重化信号の出力を停止し、上りデジタル回線を介してリモート装置３よりリセット再開通知を受け下りデジタル回線を介してリモート装置３に対して多重化信号の出力を再開する交換機１とにより構成されている。
（なお、デジタル回線へ出力する信号の停止は、通常はシステム的な障害となるが、リモート装置３に対するリセット制御は、リモート装置３が正常に機能していないと判断される場合に必要となるため、下りデジタル回線への信号の出力を停止することが交換機１，リモート装置３及び電話機間におけるシステムに対し実用上の障害となることはない。）
リモート装置３は、下りデジタル回線を常時監視し、この監視結果が多重化信号を受信していないことを示す停止状態を示すときにリセット信号１４を出力する回線監視リセット出力部４と、回線監視リセット出力部４が出力するリセット信号１４によりリセットしリセットした後にリモート装置３の通常動作の制御を再開しリセット再開通知を出力するリモート装置制御部５と、リモート装置制御部５よりリセット再開通知を受けこのリセット再開通知を上りデジタル回線を介して交換機１に送る送信制御部９とにより構成されている。
【００１８】
回線監視リセット出力部４は、下りデジタル回線を常時監視し、この監視結果が停止状態を示すときに停止信号１３を出力する受信回線監視部６と、受信回線監視部６より停止信号１３を受けこの信号が予め定めた時間継続したときにリセット出力指示信号１６を出力するタイマ部７と、タイマ部７よりリセット出力指示信号１６を受けリセット信号１４を出力するリセット信号出力制御部８とにより構成されている。
【００１９】
なお、図１には、リモート装置制御部５の構成例として、ＣＰＵとＣＰＵ周辺制御部とを併せて示している。また、タイマ部７がカウントするクロックパルスを供給する発振器を併せて示している。
【００２０】
次に、本実施の形態のリモート装置のリセット方式の動作を図２及び図３を参照して詳細に説明する。
【００２１】
図２は、タイマ部の一例を示すブロック図であり、タイマ部７は、発信器からのクロックパルスを受けて計数し、カウンタ制御回路１０からのクリア信号１５を受けて計数値をクリアするとともにこのクリア信号１５を受けている間計数を停止するカウンタ１１と、このカウンタ１１にクリア信号１５を出力し受信回線監視部６より停止信号１３を受けクリア信号１５の出力を停止するとともにリセット信号出力制御部８よりリセット信号１４を受けクリア信号１５をパルス状に出力するカウンタ制御回路１０と、カウンタ１１が計数した計数値と予め定めた時間（例えば、５秒）に対応する予め定めた設定値とを比較し一致したときにリセット出力指示信号１６を出力する比較器１２とにより構成されている。
【００２２】
図３は、本実施の形態の動作を説明するタイミングチャートであり、受信回線監視部６よりの停止信号１３，比較器１２よりのリセット出力指示信号１６，リセット信号出力制御部８よりのリセット信号１４及びカウンタ制御回路１０よりのクリア信号１５の信号論理は全て正論理とし、Ｈレベルで信号有効として表している。
【００２３】
図１において、図３で示すＴ０〜Ｔ１期間では、リモート装置３の受信回線監視部６は、下りデジタル回線を常時監視し、下りデジタル回線を介しての受信信号（多重化信号）を検出しているためタイマ部７に対して停止信号１３を出力しない。タイマ部７のカウンタ１１は、停止信号１３が入力されない間はクリアされたままの状態となりカウントアップしない。時刻Ｔ１において、交換機１の保守対応等のために交換機１の動作初期化（イニシャル）を行う場合に併せてリモート装置３も動作初期化させる場合や、リモート装置３が何らかの要因で正常機能せずリモート装置３が収容する電話機が正常に使用できなくなる等の異常状態に陥った場合に、リモート装置３の正常機能化を図る等のため交換機１に設けた制御装置２がリモート装置３をリセットするために、下りデジタル回線を介して出力していた多重化信号の出力を停止すると、受信回線監視部６はこの出力停止を検出してタイマ部７のカウンタ制御回路１０に対して停止信号１３を送出し、これを受けたカウンタ制御回路１０はカウンタ１１に対しクリア信号１５の出力を停止し（クリア信号１５を解除し）、クリア信号１５が解除されたカウンタ１１はカウントアップを開始する。比較器１２は、カウンタ１１が計数（カウントアップ）した計数値と予め定めた時間（例えば、５秒）に対応する予め定めた設定値とを比較し一致したとき（時刻Ｔ２）にリセット出力指示信号１６を出力し、カウンタ１１は計数を停止する。（このとき、予め定めた時間（例えば、５秒）経たないうちに停止信号１３が解除されたときには、すなわち、下りデジタル回線を介しての受信信号（多重化信号）を受信回線監視部６が検出し停止信号１３を解除したときには、カウンタ制御回路１０はカウンタ１１に対しクリア信号１５を出力し、カウンタ１１はカウントアップを停止し計数値をクリアする。）リセット信号出力制御部８は、比較器１２よりリセット出力指示信号１６を受け、リモート装置制御部５をリセットするのに充分な予め定めた時間（例えば、時刻Ｔ２〜Ｔ３までの１秒間）リセット信号１４を出力する。リモート装置制御部５は、このリセット信号１４により、例えば、時刻Ｔ２〜Ｔ３までの１秒間以内で、リセットされる。また、カウンタ制御回路１０は、リセット信号出力制御部８が出力したリセット信号１４を受け時刻Ｔ３においてリセット信号１４が解除されるとクリア信号１５をパルス状に出力しカウンタ１１のクリアを行い、カウンタ１１は計数を再開する。リセット信号１４が解除された時刻Ｔ３以降にリモート装置制御部５は、リモート装置３の通常動作の制御を再開し、リセット再開通知を送信制御部９に送り、送信制御部９は上りデジタル回線を介して正常にリセット再開したことを伝えるためのリセット再開通知を交換機１に設けた制御装置２に送り、この制御装置２はリモート装置３からのリセット再開通知を受けて、下りデジタル回線への多重化信号の出力を再開し、受信回線監視部６はこの多重化信号を検出して停止信号１３を解除し、カウンタ制御回路１０はカウンタ１１に対しクリア信号１５を出力し、カウンタ１１はカウントアップを停止し計数値をクリアする。そして、交換機１，リモート装置３及び電話機間における通常の運用状態へと移行する（時刻Ｔ４）。なお、交換機１に設けた制御装置２による多重化信号の出力停止（すなわち、受信回線監視部６の停止信号１３の出力）からリセット信号出力制御部８のリセット信号１４の出力によりリモート装置制御部５のリセットが開始されるまでの停止信号１３の継続時間Ｔ１〜Ｔ２（比較器１２の設定値に対応）を、リモート装置制御部５のリセット後に交換機１に設けた制御装置２が下りデジタル回線への多重化信号送出を再開する時間Ｔ３〜Ｔ４よりも予め充分に長く設定しておく。また、通常の運用状態中にトラブル等で下りデジタル回線が切断されてしまうケースも考えられるが、この場合は、下りデジタル回線が切断されてから受信回線監視部６より停止信号１３が継続して出力されるので、時刻Ｔ１〜Ｔ３の状態が繰り返され、例えば６秒毎にリモート装置３に繰り返しリセット処理が行われ、その結果、交換機１に設けた制御装置２は、リモート装置３に対してリセット制御を行っていないにも関わらず繰り返しリセット再開通知が到来することになるため、下りデジタル回線に何らかの障害が発生している可能性があると判断することができる。
【００２４】
以上の説明では、交換機１に設けた制御装置２は、リモート装置３からのリセット再開通知の受信を待って下りデジタル回線へ多重化信号の出力を再開しているが、交換機に設けた制御装置の動作として、リモート装置３からのリセット再開通知の受信を待たずに、下りデジタル回線への多重化信号の出力停止時間をこの制御装置でカウントし、停止から５秒以上経過した時点で多重化信号の出力を再開するようにしても良い。また、停止信号１３の継続時間を監視してリセット信号１４を発生させるようにしたが、このリセット信号発生条件を例えば停止信号１３発生パターンが“２秒継続・２秒解除・２秒継続“等でリセット信号１４を発生するようにしても良い。これは、タイマ部７の構成を見直すだけで可能となる。このようにした場合には、下りデジタル回線に物理的な障害があった場合には停止信号１３の継続時間が無限となるため停止信号発生パターンが前述したパターンにならないのでリセット信号１４が発生せずリセットが行われない。あくまでも交換機に設けた制御装置のコントロールにより上記の停止信号発生パターンを発生させることによりリモート装置のリセットを制御することが可能なシステムとなる。更に、停止信号継続時間や停止信号発生パターン及びリセット信号出力時間等を装置固定とせず、スイッチ設定等によって自由に変更可能な構成としても良い。
【００２５】
【発明の効果】
以上説明したように、本発明のリモート装置のリセット方式によれば、交換機は、リモート装置をリセットする必要のあるときに、下りデジタル回線を介してリモート装置に送出している多重化信号の出力を停止し、リモート装置は、下りデジタル回線を監視しこの監視結果が多重化信号を受信していないことを示す停止状態を示すときにリセットするため、下りデジタル回線に障害がある場合や、リモート装置を制御するリモート装置内のリモート装置制御部が正常に動作していないときにもリモート装置のリセットを行うことができる。
【００２６】
また、リモート装置は、リセットされた後に通常動作の制御を再開しリセット再開通知を上りデジタル回線を介して交換機に送り、交換機は、上りデジタル回線を介してリモート装置よりリセット再開通知を受け下りデジタル回線を介してリモート装置に対して多重化信号の出力を再開するため、下りデジタル回線の障害時にリモート装置のリセットをし、リモート装置を制御するリモート装置内のリモート装置制御部が暴走状態に陥った時にもリモート装置は自動的にリセット後に復旧し、上りデジタル回線さえ正常であれば交換機に対してリセット再開通知を送れるので、交換機がリセット再開通知の受信の状況によりデジタル回線以降の状態を把握できるという効果がある。
【図面の簡単な説明】
【図１】本発明のリモート装置のリセット方式の一つの実施の形態を示すブロック図である。
【図２】タイマ部の一例を示すブロック図である。
【図３】本実施の形態の動作を説明するタイミングチャートである。
【図４】交換機とリモート装置との関係を示す図である。
【符号の説明】
１    交換機
２    制御装置
３    リモート装置
４    回線監視リセット出力部
５    リモート装置制御部
６    受信回線監視部
７    タイマ部
８    リセット信号出力制御部
９    送信制御部
１０    カウンタ制御回路
１１    カウンタ
１２    比較器
１３    停止信号
１４    リセット信号
１５    クリア信号
１６    リセット出力指示信号
【図１】
0003686852.tif 000002
【図２】
0003686852.tif 000003
【図３】
0003686852.tif 000004
【図４】
0003686852.tif 000005